(57)【要約】【課題】  製作容易で作動が安定し、渦巻きがリアルにかつ美麗に表現されて飽きることがなく、玩具あるいは装飾物等に広く利用できる渦巻発生装置を提供する。【解決手段】  基台４０の上部に透視可能な材質からなり内部に水を収容した容器１０を取り付け、容器１０の底部にはファン３１を配置し、このファン３１の上方には水の吸込孔２１を穿設した回転板２０を構成すると共に、上記ファン３１の下部にマグネット３を一体に取り付ける。一方、上記基台４０の内部には上記ファン３１の駆動機構５０を構成し、この駆動機構５０のマグネット５を上記マグネット３と互いに吸引するように対向配置すると共に、上記基台４０の外部側面に照明手段４５を取り付けた。【選択図】  図５
2007209602.tif 000002
【特許請求の範囲】
【請求項１】
基台の上部に透視可能な材質からなる容器を取り付け、この容器の内部に液体を収容し、かつ底部にはファンを回転可能に配置し、このファンの上方には上記液体の吸込孔を穿設した上板を構成すると共に、上記基台の内部には、上記ファンの駆動機構を構成した渦巻発生装置。
【請求項２】
上記ファンの下部にマグネットを一体に取り付け、かつ上記ファンの駆動機構にマグネットを取り付け、これら両方のマグネットを互いに吸引するように対向配置すると共に、上記上板を回転可能に配置したことを特徴とする請求項１記載の渦巻発生装置。
【請求項３】
上記基台の外部側面に照明手段を取り付け、この照明手段によって容器内に発生した渦巻に対して光を照射することを特徴とする請求項１又は２記載の渦巻発生装置。
【発明の詳細な説明】
【技術分野】
【０００１】
本発明は、水等の液体を収容した小型の容器内で渦巻きを発生させて、玩具あるいは装飾物等として利用する渦巻発生装置に関する。
【背景技術】
【０００２】
従来より、水槽内で渦巻きを発生させて楽しむ玩具が提案されていた。特許文献１に記載された渦巻き玩具装置は、液体を封入した透視可能な中空状の容器と、液体に対し渦巻運動を生じさせるべく容器内で駆動源によって回転する攪拌部材とを備えて成るものである。
この渦巻き玩具装置は、球体の中で従来にない水流アート的な珍しい動きを発生することにより、幼児・子供や大人に至るまで好奇心や面白味を湧くようにすることを目的としているものである。
【特許文献１】実用新案登録第３０８５２２９号
【０００３】
上記考案は、容器内部の液体を強制的に回転させて渦巻運動を発生させるため水流の回転運動を視覚的に捉えることが難しい。そのため、容器内に浮遊物体を入れる必要が生じるが、このようにした場合は液体の渦巻運動に伴って浮遊物体を竜巻状に強制的に旋回させるが、浮遊物体の運動は常に一定の運動であるため単調で飽きがきやすいという問題点がある。
【発明の開示】
【発明が解決しようとする課題】
【０００４】
本発明は、製作容易で作動が安定した構成からなり、渦巻きがリアルにかつ美麗に表現されて飽きることがなく、玩具あるいは装飾物等に広く利用できる渦巻発生装置を提供することを目的とする。
【課題を解決するための手段】
【０００５】
本発明の要旨とするところは、基台の上部に透視可能な材質からなる容器を取り付け、この容器の内部に液体を収容し、かつ底部にはファンを回転可能に配置し、このファンの上方には上記液体の吸込孔を穿設した上板を構成すると共に、上記基台の内部には、上記ファンの駆動機構を構成した渦巻発生装置である。
【０００６】
また、本発明の要旨とするところは、上記ファンの下部にマグネットを一体に取り付け、かつ上記ファンの駆動機構にマグネットを取り付け、これら両方のマグネットを互いに吸引するように対向配置すると共に、上記上板を回転可能に配置したことを特徴とする渦巻発生装置である。
【０００７】
また、本発明の要旨とするところは、上記基台の外部側面に照明手段を取り付け、この照明手段によって容器内に発生した渦巻に対して光を照射することを特徴とする渦巻発生装置である。
【発明の効果】
【０００８】
本発明によれば、ファンの上方に配置した上板の吸込孔より液体を吸い込むことで渦巻きを発生させるため、渦巻きがリアルにかつ美麗に表現され視覚的にも明瞭に捉えられるため飽きることがなく、楽しく面白い玩具や装飾物として広く利用できるのである。
【０００９】
さらに、渦巻きを発生せるためのファンをマグネットを用いて回転させると製作容易で作動が安定し、かつファンの上方に配置した上板が回転することで渦巻きも移動するため、さらにリアルに表現されて興趣が増す。
また、基台の外部側面に取り付けた照明手段によって渦巻きに対して光を照射すると、この光が渦巻きあるいは上板に美しく反射して、玩具あるいは装飾物として商品価値を高めるのである。
【発明を実施するための最良の形態】
【００１０】
本発明の最良の実施形態は、基台の上部に透視可能な材質からなり内部に水を収容した容器を取り付ける。そして容器の底部にはファンを配置し、このファンの上方には水の吸込孔を穿設した回転板を構成すると共に、上記ファンの下部にマグネットを一体に取り付ける。
上記基台の内部には上記ファンの駆動機構を構成し、この駆動機構のマグネットを上記ファンに取り付けたマグネットと互いに吸引するように対向配置すると共に、上記基台の外部側面に照明手段を取り付け、この照明手段によって渦巻に対して光を照射する渦巻発生装置である。
【００１１】
次に本発明の一実施形態を図に基づいて説明する。
図１は、本発明の一実施形態の正面図、図２は同一部拡大正面断面図、図３は同渦巻発生機構の分解斜視図、図４及び図５は同作動説明図である。
【００１２】
本実施形態の渦巻発生装置は、上部の容器１０とこの容器１０の下部に着脱可能に取り付けた基台４０よりなる。
上記容器１０は、上端に蓋１１を有し、内部に水１８を収容した透視可能な材質である透明又は半透明の材質からなり、内部の底面には凹部１７を構成して渦巻発生機構３０を配置してある。また、外部の底面には３本の脚部１５を立設すると共に、周面にはネジ部１３を構成したリング状の取付部１２を設けてある。
【００１３】
上記渦巻発生機構３０は、図３に示すように、上板である回転板２０と、この回転板２０の下部に配置したファン３１及びファン３１を回転駆動させるためのマグネット３などからなる。
この構成を詳しく説明すると、上記ファン３１の下部に基部３２を一体に構成してあり、この基部３２はリング状の周縁部３２ａを有し、中央には孔３２ｂを穿設した構成である。一方、上記基部３２の下方には、中央に孔３４ｂを穿設し周縁部３４ａを有するマグネット載置部３４を構成し、このマグネット載置部３４の上に２個のマグネット３を配置する。
【００１４】
上記のように構成した後、上記マグネット載置部３４の周縁部３４ａを基部３２の周縁部３２ａの内側に嵌合することにより、マグネット載置部３４をファン３１の基部３２に軸受３６と共に固定するのである。
このようにして構成した渦巻発生機構３０を、容器１０の底部中央に立設した支持杆１４に、上記孔３２ｂ、軸受３６及び孔３４ｂを通して回転自在に配置する。
【００１５】
一方、上記ファン３１の上方には回転板２０を設ける。この回転板２０は、図示のように円板であり中心から外れた位置に水の吸込孔２１が穿設してある。そして、裏面の外周には一定の間隙２５を有して４個の台部２２を構成し、この台部２２の内端下部にリブ２３を設けている。
この回転板２０は、リブ２３が容器１０の凹部１７の上端縁である角部１６上に位置するように配置してあり、かつ裏面中央は支持杆１４の上に接しているため、ファン３１とは一定間隔を有していて接触することはない。
【００１６】
上記容器１０の下部に取り付けた基台４０は略円筒形状であり、内側上部にネジ部４１を構成してなり、内部下方にハウジング４７とモータ６０を収容している。このハウジング４７は、中央にモータ６０の軸６１を通すための孔４８を穿設してあり、上面には円形状の３個の受け部４９を構成している。この受け部４９は、上記容器１０の３本の脚部１５を受けて支えるためのものである。
【００１７】
上記受け部４９の上方には、上記渦巻発生機構３０の駆動機構５０を配置する。この駆動機構５０は、上面に２個のマグネット５を載置した、リング状の周縁部５３ａを有するマグネット載置部５３と、このマグネット載置部５３と嵌合してマグネット５を固定する固定部５１からなり、この固定部５１は上記モータ６０の軸６１に固定されている。
【００１８】
一方、基台４０の外部側面には、ＬＥＤ支持部４３とスイッチを兼ねたカバー４２を取り付ける。このＬＥＤ支持部４３の上端には、渦巻１９に光を照射するための照明手段であるＬＥＤ４５を固定し、上部に保護カバー４４を取り付ける。また、基台４０の上記カバー４２の反対側にはメインスイッチに連動したカバー４６を構成する。符号６２はコンセントである。
【００１９】
次に、以上のように構成した本実施形態の作用を説明する。
容器１０の内部に水１８を入れ、カバー４６を押して内部のスイッチ（図示せず）をオンにしてモータ６０を駆動する。モータ６０の回転力は軸６１から固定部５１に伝わり、固定部５１の回転に伴ってマグネット載置部５３とマグネット５，５が回転する。このマグネット５，５の回転に伴って、容器１０の底部に配置した渦巻発生機構３０のマグネット３，３も回転する。
すなわち、マグネット５，５とマグネット３，３は対向して配置されていて、対向する磁極をＮとＳあるいはＳとＮのように反対に設定してあるため、マグネット５，５とマグネット３，３は常に吸引状態になっている。そのためマグネット５，５が回転するとマグネット３，３も吸引状態を保ったまま回転運動を行なうのである。
【００２０】
これによってファン３１が回転しファン３１の周辺の水が攪拌される。そして図４の矢印で示すように、ファン３１周辺の水は回転板２０の台部２２，２２の間隙２５，２５・・から外部へと送り出されて容器１０の壁面にそって上昇し、吸込孔２１へと循環するのである。また、このように間隙２５，２５・・から水が流れる力で回転板２０は回転するのである。
そして、上記のように吸込孔２１から水１８が吸い込まれていくときに、水１８と同時に下方に吸い込まれていく空気の作る形状によって吸込孔２１から渦巻１９が発生しているように見えるのである。
【００２１】
また、回転板２０は回転しているため、吸込孔２１は円運動を描くことになり渦巻１９も円運動を描きながら容器１０の中を移動する。このようにして作成される渦巻１９は、臨場感に富み意外性があるため、玩具あるいは装飾物としても楽しく面白いものとなる（図５参照）。
【００２２】
これと同時にカバー４２を押してＬＥＤ４５を点灯させれば、その光は保護カバー４４を通して渦巻１９に照射され渦巻１９が美しく光るのである。またこの光は渦巻１９に反射して、さらに回転板２０の表面で反射して更に美麗な照明効果をもたらすものである。
また容器１０は基台４０に着脱自在に取り付けられているため、好みに応じて容器１０を変更して用いることもでき選択の幅が増えるのである。
【図面の簡単な説明】
【００２３】
【図１】本発明の一実施形態の正面図
【図２】本発明の一実施形態の一部拡大正面断面図
【図３】本発明の一実施形態の渦巻発生機構の分解斜視図
【図４】本発明の一実施形態の作動説明図
【図５】本発明の一実施形態の作動説明図
【符号の説明】
【００２４】
３  マグネット
５  マグネット
１０  容器
１８  水（液体）
１９  渦巻
２０  回転板（上板）
２１  吸込孔
３０  渦巻発生機構
３１  ファン
３４  マグネット載置部
４０  基台
４３  ＬＥＤ支持部
４５  ＬＥＤ（照明手段）
５０  駆動機構
【図１】
2007209602.tif 000003
【図２】
2007209602.tif 000004
【図３】
2007209602.tif 000005
【図４】
2007209602.tif 000006
【図５】
2007209602.tif 000007